(57)【要約】      （修正有）【課題】その使用可能期間が比較的短い寝具用カバー、例えばシーツや枕カバーであって、その使用期間中は香気を発するか、及び／又は、鎮痒、消炎、鎮痛、消臭、抗酸化、抗菌又は殺菌効果を示す寝具用カバーを提供すること。【解決手段】香気、鎮痒、消炎、鎮痛、消臭、抗酸化、抗菌又は殺菌成分を内包又は保持するマイクロカプセルを具備し、且つ、坪量が２０乃至１５０ｇ／ｍ２である不織布製の寝具用カバーを使用する。【選択図】図１
0003121923.tif 000002
【実用新案登録請求の範囲】
【請求項１】
香気、鎮痒、消炎、鎮痛、消臭、抗酸化、抗菌又は殺菌成分を内包又は保持するマイクロカプセルを具備し、且つ、坪量が２０乃至１５０ｇ／ｍ２である不織布製の寝具用カバー。
【請求項２】
マイクロカプセルがコアシュル型の有機マイクロカプセルである、請求項１に記載の不織布製の寝具用カバー。
【請求項３】
マイクロカプセルがマトリックス型の有機マイクロカプセルである、請求項１に記載の不織布製の寝具用カバー。
【請求項４】
マイクロカプセルが多孔質無機微小球体の無機マイクロカプセルである、請求項１に記載の不織布製の寝具用カバー。
【請求項５】
香気、鎮痒、消炎、鎮痛、消臭、抗酸化、抗菌又は殺菌成分がカテキン類である、請求項１乃至４のいずれか一項に記載の不織布製の寝具用カバー。
【考案の詳細な説明】
【技術分野】
【０００１】
本考案は、香気、鎮痒、消炎、鎮痛、消臭、抗酸化、抗菌又は殺菌成分を内包又は保持するマイクロカプセルを具備する不織布製寝具カバーに関する。
【背景技術】
【０００２】
芳香は、人にリラクリゼーション効果を付与すると共に、悪臭をマスキングする効果も有する。一方、香料は揮発性成分からなるため、それを単に繊維等の素材等に吸収、保持させたのでは、短時日のうちに揮散し、前記効果を示さなくなってしまう。そこで、香料等が徐々に放出されるように、香料等を保持するマイクロカプセルの使用が提案されている。
【０００３】
特許文献１には、香料等を内包する有機マイクロカプセルや無機マイクロカプセルを樹脂バインダーで付着してなる繊維製品、例えば布が開示されている。
【０００４】
特許文献２には、芳香消臭成分を含有する感圧芳香性マイクロカプセル又は徐放芳香性マイクロカプセルを担持してなる寝具用充填剤が開示されている。
【０００５】
特許文献３には、精油を内包するマイクロカプセルがバインダー樹脂を介して繊維に固着されてなる中綿用繊維材料が開示されている。
【０００６】
特許文献４には、香料組成物が、マイクロカプセルに内包された状態で又は無機系多孔質マイクロカプセルに吸着した状態で、樹脂バインダーで布帛に付着されてなる交感神経活性化布帛が開示されている。
【０００７】
また、不織布にマイクロカプセルを保持させることも提案されている。
【０００８】
例えば特許文献５には、消臭剤、殺菌剤、香料、抗酸化剤等の揮発性成分が内蔵されたマイクロカプセルを具備する不織布製のフィルターが開示されている。
【０００９】
特許文献６には、ポリエチレングルコールを含むマイクロカプセルをバインダー樹脂を用いて付着させた布が開示されている。特許文献６によると、布の定義には、不織布が含まれる。
【００１０】
【特許文献１】特開２００４−６８１７３
【特許文献２】特開２００４−２０１８１０
【特許文献３】特開２００４−２４４７５６
【特許文献４】特開２００４−２５０８０４
【特許文献５】特開２００６−３４４２１
【特許文献６】特許第３２２７９１４号
【考案の開示】
【考案が解決しようとする課題】
【００１１】
本考案は、その使用期間が比較的短い寝具用カバーであって、その使用期間中は香気を発し、及び／又は、鎮痒、消炎、鎮痛、消臭、抗酸化、抗菌又は殺菌効果を示す寝具用カバーを提供することを目的とする。
【課題を解決するための手段】
【００１２】
上記目的を達成するために、本考案者は鋭意検討し、以下の考案を完成させた。
【００１３】
即ち、本考案は、香気、鎮痒、消炎、鎮痛、消臭、抗酸化、抗菌又は殺菌成分を内包又は保持するマイクロカプセルを具備し、且つ、坪量が２０乃至１５０ｇ／ｍ２である不織布製の寝具用カバーに関する。
【００１４】
マイクロカプセルは、コアシュル型の有機マイクロカプセルであってもよいし、マトリックス型の有機マイクロカプセルであってもよいし、多孔質無機微小球体の無機マイクロカプセルであってもよい。
【００１５】
香気、鎮痒、消炎、鎮痛、消臭、抗酸化、抗菌又は殺菌成分として、カテキン類を用いてもよい。
【考案の効果】
【００１６】
本考案により、香料によるリラクリゼーション効果や、鎮痒、消炎、鎮痛、消臭、抗酸化、抗菌又は殺菌効果が得られる寝具用カバーが提供される。
【考案を実施するための最良の形態】
【００１７】
以下に、本考案を詳細に説明する。
【００１８】
本考案の寝具カバーは、香気、鎮痒、消炎、鎮痛、消臭、抗酸化、抗菌又は殺菌成分を内包又は保持するマイクロカプセルを具備する。
【００１９】
寝具カバーとは、シーツ、枕カバー、ピローケース、敷布団用包布、毛布又は掛布団カバー、襟当て等の、寝具を覆うもの全般をいう。
【００２０】
香気成分とは、天然香料（植物性（精油）、動物性）、合成香料、香料組成物等の香りを放出する物質をいう。鎮痒、消炎、鎮痛、消臭、抗酸化、抗菌又は殺菌成分とは、メントール、樟脳、酸化亜鉛、カテキン類、ビタミンC、ビタミンE、没食子酸エステル類、サリチル酸エステル類、イルガサン（商標）、ジンクピリチオン等の消臭又は殺菌効果を示す物質をいう。なお、カテキン類には、カテキン、エピカテキン、ガロカテキン、エピガロカテキン、カテキンガレート、エピカテキンガレート、ガロカテキンガレート、エピガロカテキンガレート等があり、サリチル酸エステル類にはサリチル酸メチル等がある。
【００２１】
本考案においては、マイクロカプセルに内包又は保持される成分は、液体に限定されず、また、揮発性成分にも限定されない。マイクロカプセルに内包又は保持され得る上記の効果を示す物質であって、人体に悪影響を及ぼさないものである限り、いずれも使用することができる。
【００２２】
カテキン類の一部の物質のように、水難溶性のものを使用する場合には、例えば、水溶性カテキン類を含む水溶液を加熱することにより、水難溶性のカテキン類を生じさせ、そのような水難溶性のカテキン類を固体でマイクロカプセルに内包又は保持させればよい。あるいは、固体のカテキン類を含有する懸濁液を、コアシュル型の有機マイクロカプセルに内包させればよい。また、固体を内包したコアシェル型のマイクロカプセルを調製する他の方法としては、固体の外表面を後記する皮膜剤で被覆する方法がある。
【００２３】
マイクロカプセルとは、その内部に液体や固体を内包又は保持できる小さな容器を指す。その代表例が、図１に示すコアシュル型の有機マイクロカプセル１００、図２に示すマトリックス型の有機マイクロカプセル２００、そして図３に示す多孔質無機微小球体の無機マイクロカプセル３００である。
【００２４】
コアシュル型の有機マイクロカプセル１００は、有機物質（主として合成樹脂）製の殻（シェル）１で、液体又は固体物質のコア３を包んでいるものである。シェル１が、圧力によって破壊され、又は経時的に自己崩壊することにより、コア物質が放出される。
【００２５】
マトリックス型の有機マイクロカプセル２００では、マトリックス５内部に、微粒子状の芯物質７が分散されているか又は液体状の芯物質７が含浸されている。この芯物質は、長期間にわたって少しずつ放出される。
【００２６】
無機マイクロカプセル３００は、多孔質無機微小球体９の孔１１に、芯物質１３が含有、保持されてなるものである。
【００２７】
有機マイクロカプセル、即ちシェル１又はマトリックス５を構成する材料として、例えば、ゼラチン、尿素樹脂、尿素−ホルマリン樹脂、メラミン樹脂、ウレタン樹脂、ポリオレフィン樹脂、塩化ビニル樹脂、ポリアミド樹脂、アクリル樹脂、アラビアゴム等天然ゴム、合成ゴム等の、多種多様な樹脂やゴムを使用することができる。
【００２８】
有機マイクロカプセルの製造方法には、機械的方法、物理化学的方法、及び化学的方法があり、より具体的には、オリフィス法、in situ重合法、相分離法、界面重合法、コアセルベーション法、界面沈殿法等が知られている。また、多数の特許文献においても、マイクロカプセルの製造方法が開示されている（例えば、特開平５−７７６６、特開２００１−４６０１０、特開２００１−１２０６５１、特開２００２−１１４６０５、特開２００３−１４４９０４、特開２００４−２５０８０４）ので、本考案においては、これら公知の方法により、有機マイクロカプセルを調製すればよい。
【００２９】
無機マイクロカプセル用の多孔質無機微小球体は、粉砕等の細分化法により、又は、化学反応と液相からの固相の析出という成長法により、製造することができる。また、ゾルゲル法を採用することもできる。
【００３０】
多孔質無機微小球体を構成する無機物質としては、シリカ、セラミックス、炭酸マグネシウム、炭酸カルシウム、珪酸マグネシウム、珪酸カルシウム、酸化ニッケル等を挙げることが出来る。なお、「微小球体」といっても、完全に球体である必要はなく、不定形のものが混在していてもよい。
【００３１】
孔１１への芯物質１３の保持は、例えば、芯物質１３を有機溶剤に溶解させて溶液を調製し、その溶液に多孔質無機微小球体を浸漬し、取り出し、多孔質無機微小球体を乾燥させることによって達成される。あるいは、芯物質１３を水に分散させて懸濁液を調製し、その懸濁液に多孔質無機微小球体を浸漬し、取り出し、多孔質無機微小球体を乾燥させることによって達成される。
【００３２】
本考案の寝具カバーは、不織布に、前記のマイクロカプセルを保持させたものである。
【００３３】
不織布には、メルトブロー不織布、スパンボンド不織布、スパンレース不織布等があるが、本考案ではいずれも使用することができる。
【００３４】
不織布の素材は、例えば、レーヨン、ナイロン、ポリエステル、アクリル、ポリプロピレン、ビニロン、ポリエチレン、ウレタン、木綿、セルロース等である。
【００３５】
本考案では、不織布として、坪量が２０乃至１５０ｇ／ｍ２、好ましくは３０乃至１００ｇ／ｍ２、さらに好ましくは４０乃至７０ｇ／ｍ２であるものを用いる。
【００３６】
このような厚さの不織布を用いる理由は、次のとおりである。マイクロカプセルをバインダー樹脂を用いて不織布に保持させるに際し、マイクロカプセル及びバインダー樹脂を含有する液状組成物を用いるが、不織布が薄すぎると、含浸出来る液体量が少ないために、必要な数のマイクロカプセルが不織布に付着し難い。一方、寝具カバーに用いる場合、その坪量が１５０ｇ／ｍ２を超えるような厚さは不要であり、また、厚すぎると感触が悪くなる。
【００３７】
不織布にマイクロカプセルを具備させるには、例えば、バインダー樹脂の水溶液や乳化物にマイクロカプセルを添加してなる液状組成物を、スプレーを用いて不織布に噴霧し、乾燥、あるいは、前記液体に不織布を浸漬させた後に脱水、乾燥すればよい。乾燥は、通常は加熱乾燥である。
【００３８】
なお、バインダー樹脂としては、ゼラチン、尿素樹脂、尿素−ホルマリン樹脂、メラミン樹脂、ウレタン樹脂、ポリオレフィン樹脂、塩化ビニル樹脂、ポリアミド樹脂、アクリル樹脂、シリコーン樹脂、アラビアゴム等天然ゴム、合成ゴム等の、多種多様な樹脂やゴムを使用することができる。
【００３９】
不織布にマイクロカプセルを具備させる他の方法としては、繊維を融着させて不織布を製造する際にマイクロカプセルを共存させ、不織布の製造とマイクロカプセルの付着とを同時に行うという方法もある。
【実施例１】
【００４０】
幅が１１０ｃｍの長尺物である、ポリエステル（１００％）製スパンレース不織布（中国航民非織布公司製、坪量：５０ｇ／ｍ２）を用意した。
【００４１】
一方、表１に示す処方のマイクロカプセル組成物を、常法により調製した。
【００４２】
【表１】
0003121923.tif 000003
【００４３】
このマイクロカプセル組成物１０リットルに、前記スパンレース不織布を連続的に浸漬した。取り出したスパンレース不織布を、マイクロカプセル組成物の重量が不織布の重量の２０％程度となるまで絞り、熱風乾燥させた。次いで、長さが２５０ｃｍとなるように、不織布の長尺物を切断した。このようにして、メントールを内包するマイクロカプセルを具備した不織布製シーツ（１１０ｃｍ×２５０ｃｍ）を製造した。
【００４４】
このシーツを敷布団に敷いて就寝すると、ほのかにメントールの香りがした。また、このシーツを洗濯し、乾燥させて使用したところ、洗濯回数１５回で、メントールの香りを感知できなくなった。
【実施例２】
【００４５】
表２に示す処方のマイクロカプセル組成物を使用した以外は、実施例１と同様の方法により、マイクロカプセルを具備した不織布製シーツを製造した。
【００４６】
【表２】
0003121923.tif 000004
【図面の簡単な説明】
【００４７】
【図１】コアシュル型の有機マイクロカプセルを示す断面模式図である。
【図２】マトリックス型の有機マイクロカプセルを示す断面模式図である。
【図３】多孔質無機微小球体の無機マイクロカプセルを示す断面模式図である。
【符号の説明】
【００４８】
１    シェル（殻）
３    コア
５    マトリックス
７    芯物質
９    多孔質無機微小球体
１１    孔
１３    芯物質
１００    コアシュル型の有機マイクロカプセル
２００    マトリックス型の有機マイクロカプセル
３００    無機マイクロカプセル
【図１】
0003121923.tif 000005
【図２】
0003121923.tif 000006
【図３】
0003121923.tif 000007